(57)【要約】【課題】枠体に組み立てて地面の敷設したときに、地面の補強効果を安定して維持可能な地面補強部材及び地面補強枠体並びに法面補強方法を提供する。【解決手段】幅方向の下方の側部に所定間隔で複数のスリットが設けられた複数の第１補強部材１０Ａ…１０Ａと、上方の側部に同じく所定間隔で複数のスリットが設けられた複数の第２補強部材１０Ｂ…１０Ｂとを、スリットを介して嵌合交差させることにより正方形状に区切られた複数の客土保持空間Ｓ…Ｓを有する格子状の補強枠体１を組み立てる。その場合、帯状の第１及び第２補強部材１０Ａ，１０Ｂにおいて、上下左右の各側縁部に、厚み方向に突出する凸部を設ける。【選択図】図１
2009041292.tif 000002
【特許請求の範囲】
【請求項１】
幅方向の少なくとも一方の側部に所定間隔で複数のスリットが設けられており、該スリットを介して嵌合交差することにより四角形状に区切られた複数の客土保持空間を有する格子状枠体に組み立てられる帯状の地面補強部材であって、
少なくとも一方の側縁部に、厚み方向に突出する凸部が設けられていることを特徴とする地面補強部材。
【請求項２】
前記請求項１に記載の地面補強部材において、
両側の側部に、交互に複数のスリットが設けられていることを特徴とする地面補強部材。
【請求項３】
前記請求項１または請求項２に記載の地面補強部材において、
前記凸部は、端部側の傾斜面と中央側の段付き面とを有する断面視で略三角形状とされていることを特徴とする地面補強部材。
【請求項４】
前記請求項１または請求項２に記載の地面補強部材において、
前記凸部は、側部側から釘状部材の打ち込みが可能な形状とされていることを特徴とする地面補強部材。
【請求項５】
四角形状に区切られた複数の客土保持空間を有して地面に敷設される格子状の地面補強枠体であって、
複数の前記請求項１から請求項４のいずれか１項に記載の地面補強部材を、互いのスリットを介して嵌合交差させることにより構成されていることを特徴とする地面補強枠体。
【請求項６】
法面を補強する法面補強方法であって、
前記請求項５に記載の地面補強枠体を法面に沿って敷設したのち、客土保持空間に客土することを特徴とする地面補強方法。
【発明の詳細な説明】
【技術分野】
【０００１】
本発明は、法面保護工や緑化工等で用いられる地面補強部材及び地面補強枠体並びに法面補強方法に関し、地面補強工事の技術分野に属する。
【背景技術】
【０００２】
従来、法面保護工や緑化工等において、浸食の防止や軟弱地面の改良等のため、地面の補強が行われることがある。その一例として、例えば特許文献１には、合成樹脂が含浸された帯状の補強部材で多角形状の客土保持空間が形成された地面補強枠体が開示されている。
【０００３】
【特許文献１】特開昭５８−６２２１号公報
【発明の開示】
【発明が解決しようとする課題】
【０００４】
ところで、前述したような地面補強枠体を法面に沿って敷設すると、地面補強部材や地面補強枠体が抜ける方向の力が作用する。その結果、客土保持空間の維持が困難となり、地面の補強効果が損なわれることがある。また、法面でなくても平地でも、この問題は起こり得る。
【０００５】
そこで、本発明は、枠体に組み立てて地面に敷設したときに、地面の補強効果を安定して維持可能な地面補強部材及び地面補強枠体並びに法面補強方法の提供を課題とする。
【課題を解決するための手段】
【０００６】
前記課題を解決するため、本発明は次のように構成したことを特徴とする。
【０００７】
まず、請求項１に記載の発明は、幅方向の少なくとも一方の側部に所定間隔で複数のスリットが設けられており、該スリットを介して嵌合交差することにより四角形状に区切られた複数の客土保持空間を有する格子状枠体に組み立てられる帯状の地面補強部材であって、少なくとも一方の側縁部に、厚み方向に突出する凸部が設けられていることを特徴とする。
【０００８】
次に、請求項２に記載の発明は、前記請求項１に記載の地面補強部材において、両側の側部に、交互に複数のスリットが設けられていることを特徴とする。
【０００９】
また、請求項３に記載の発明は、前記請求項１または請求項２に記載の地面補強部材において、前記凸部は、端部側の傾斜面と中央側の段付き面とを有する断面視で略三角形状とされていることを特徴とする。
【００１０】
また、請求項４に記載の発明は、前記請求項１または請求項２に記載の地面補強部材において、前記凸部は、側部側から釘状部材の打ち込みが可能な形状とされていることを特徴とする。
【００１１】
また、請求項５に記載の発明は、四角形状に区切られた複数の客土保持空間を有して地面に敷設される格子状の地面補強枠体であって、複数の前記請求項１から請求項４のいずれか１項に記載の地面補強部材を、互いのスリットを介して嵌合交差させることにより構成されていることを特徴とする。
【００１２】
そして、請求項６に記載の発明は、法面を補強する法面補強方法であって、前記請求項５に記載の地面補強枠体を法面に沿って敷設したのち、客土保持空間に客土することを特徴とする。
【発明の効果】
【００１３】
まず、請求項１に記載の発明によれば、帯状の地面補強部材を、互いのスリットを介して枠体に組み立てることにより、四角形状に区切られた複数の客土保持空間が形成されるようになる。
【００１４】
その上で、前記枠体を地面に敷設した場合、地面補強部材の少なくとも一方の側縁部に凸部が設けられているので、この凸部が地面に対するアンカー効果を発揮する。したがって、例えば、一方の地面補強部材を他方の地面補強部材の上方から嵌合させると、上方から嵌合した地面補強部材の抜け、ひいては枠体の抜けを抑制することができる。すなわち、枠体に組み立てて地面に敷設したときに、地面の補強効果を安定して維持可能な地面補強部材が実現する。
【００１５】
次に、請求項２に記載の発明によれば、地面補強部材の両側の側部に、交互に複数のスリットが設けられているので、複数の地面補強部材を、前記スリットを介して千鳥状に組み立てると、枠体を構成する各地面補強部材は互いにバラけることがなくなり、もって各地面補強部材の抜け、ひいては枠体の抜けをさらに抑制することができる。
【００１６】
また、請求項３に記載の発明によれば、地面補強部材の凸部は、端部側の傾斜面と中央側の段付き面とを有する断面視で略三角形状とされているので、例えば、これらの地面補強部材でなる枠体を地面に差し込んで敷設する場合には、前記傾斜面は、案内面として差し込みを容易にする。一方、客土保持空間に客土したときには、前記段付き面は抜け抵抗となり、地面補強部材や枠体の抜けを一層抑制するのに貢献する。
【００１７】
また、請求項４に記載の発明によれば、地面補強部材に設けた凸部は、側部から釘状部材の打ち込みが可能な形状とされているので、さらなるアンカー効果が付与されるようになる。
【００１８】
また、請求項５に記載の発明によれば、前記請求項１から請求項４に記載の発明で得られた作用と同じ作用が得られる地面補強枠体が実現する。
【００１９】
そして、請求項６に記載の発明によれば、前記請求項５に記載の地面補強枠体を法面に沿って敷設したのち、客土保持空間に客土することにより、地面補強部材や地面補強枠体が抜ける方向の力が作用する法面に対し、補強効果を安定して維持可能な法面補強方法が実現する。
【発明を実施するための最良の形態】
【００２０】
本発明の実施の形態について説明する。
【００２１】
図１及び図２に示すように、第１の実施の形態に係る地面補強枠体（以下、「補強枠体」という）１は、複数の地面補強部材（以下、「補強部材」という）１０Ａ…１０Ａ，１０Ｂ…１０Ｂを用いて、正方形状に区切られた複数の客土保持空間Ｓ…Ｓを有する格子状に組み立てられたものである。
【００２２】
前記補強部材１０Ａ，１０Ｂは、図３に示す中間部材１０′を加工して得られる。この中間部材１０′は、帯状のものであり、図例において厚みｔ１′の本体部１１の上下左右の側縁部に、厚み方向に突出すると共に長手方向に連続し、断面視で半円状の凸部１２…１２が設けられている。そして、両側の凸部１２，１２を含んで膨らんだ側部は、厚みｔ２′とされている。
【００２３】
図４に示す第１補強部材１０Ａは、前記中間部材１０′に切除加工とスリット加工とを施して得られた帯状のものであり、本体部１１の上下左右の側縁部に凸部１２…１２を有している。そして、図例において下側の側部には、所定間隔を置いて、長手方向の寸法がｔ２とされた複数の切除部１３…１３が設けられており、また、切除部１３…１３が設けられた箇所に一致して、長手方向の寸法がｔ１とされ、幅方向の中央まで延びる複数のスリット１４…１４が設けられている。なお、寸法ｔ１，ｔ２は、それぞれ前記厚みｔ１′，ｔ２′に略等しい。
【００２４】
一方、図５に示す第２補強部材１０Ｂは、同じく前記中間部材１０′に切除加工とスリット加工とを施して得られた帯状のものであり、本体部１１の上下左右の側縁部に凸部１２…１２を有している。また、上側の側部には、寸法ｔ２の切除部１３…１３と寸法ｔ１のスリット１４…１４とが、長手方向に一致して前記所定間隔を置いて設けられている。なお、第２補強部材１０Ｂは、前記第１補強部材１０Ａを上下逆にしたものであるが、便宜上異なる符合を付すことにしている。
【００２５】
また、前記中間部材１０′（第１及び第２補強部材１０Ａ，１０Ｂ）には、例えば、アクリロニトリル−ブタジエン−スチレン共重合体樹脂（ＡＢＳ樹脂）、ポリエチレン樹脂（ＰＥ樹脂）、ポリプロピレン樹脂（ＰＰ樹脂）、アクリル樹脂、ポリエチレンテレフタレート樹脂（ＰＥＴ樹脂）、天然ゴム（ＮＲ）、スチレン−ブタジエンゴム（ＳＢＲ）、クロロプレンゴム（ＣＲ）、ブレンドゴム、エラストマー等が用いられる。また、本体部１１の厚みｔ１′は１〜５ｍｍ、幅は５〜１５ｃｍ程度とされる。そして、材質、厚み、凸部形状等を選択することにより、長さ１００ｍ程度の中間部材１０′（第１及び第２補強部材１０Ａ，１０Ｂ）をロール状に巻き取ることができ、その場合には運搬効率に優れるものとなる。
【００２６】
また、前記中間部材１０′の製造には、例えば、一般的に生産性に優れた連続押出成形が適用可能である。長尺の中間部材１０′を押出成形加工したのち、切除加工やスリット加工を施して得た第１及び第２補強部材１０Ａ，１Ｂを、ロール状に巻き取ればよい。なお、この方法に限らず、前述した構成の中間部材１０′や第１及び第２補強部材１０Ａ，１０Ｂを得ることができる各種の製造方法が適用可能である。
【００２７】
また、第１及び第２補強部材１０Ａ，１０Ｂを用いた補強枠体１の組み立てに際しては、互いのスリット１４…１４を介して、第１補強部材１０Ａを、上方から第２補強部材１０Ｂに嵌め込めばよい。その場合、第１及び第２補強部材１０Ａ，１０Ｂにそれぞれ切除部１３…１３を設けるようにしたので、図２に示すように、互いの凸部１２，１２同士は干渉せず、第１補強部材１０Ａの切除部１３に第２補強部材１０Ｂの凸部１２が下方から嵌まり込む一方、第２補強部材１０Ｂの切除部１３に第１補強部材１０Ａの凸部１２が上方から嵌まり込むようになる。そして、嵌合箇所における両補強部材１０Ａ，１０Ｂの収まり状態がよくなる。
【００２８】
そして、工事現場では、所定長さに切断された複数の第１及び第２補強部材１０Ａ…１０Ａ，１０Ｂ…１０Ｂを用いて補強枠体１を組み立て、この補強枠体１を、平地や略４５°以内の勾配の法面等に沿って敷設することになる。例えば、法面に敷設する場合には、この法面を整地したのち、図６に示すように、補強枠体１を法面の勾配に沿って敷設する。そして、客土保持空間Ｓ…Ｓに客土したのち、適宜植生すればよい。
【００２９】
以上のように構成したことにより、帯状の第１及び第２補強部材１０Ａ…１０Ａ，１０Ｂ…１０Ｂを、互いのスリット１４…１４を介して補強枠体１に組み立てることにより、四角形状に区切られた複数の客土保持空間Ｓ…Ｓが形成されるようになる。
【００３０】
その上で、前記補強枠体１を地面に敷設した場合、第１及び第２補強部材１０Ａ，１０Ｂの両側縁部に凸部１２…１２が設けられているので、これらの凸部１２…１２が地面に対するアンカー効果を発揮する。したがって、第１補強部材１０Ａを第２補強部材１０Ｂの上方から嵌合させると、上方から嵌合した第１補強部材１０Ａの抜け、ひいては補強枠体１の抜けを抑制することができる。すなわち、補強枠体１に組み立てて地面に敷設したときに、地面の補強効果を安定して維持可能な補強部材１０Ａ，１０Ｂ及び補強枠体１が実現する。
【００３１】
特に、補強枠体１を法面に沿って敷設したのち、客土保持空間に客土することにより、第１及び第２補強部材１０Ａ…１０Ａ，１０Ｂ…１０Ｂや補強枠体１が抜ける方向の力が作用する法面に対し、補強効果を安定して維持可能な法面補強方法が実現する。
【００３２】
次に、第２の実施の形態について説明する。
【００３３】
図７に示すように、補強枠体２は、複数の補強部材１０Ｃ…１０Ｃ（図例では１つ），１０Ｄ…１０Ｄを用いて、正方形状に区切られた複数の客土保持空間Ｓ…Ｓを有する格子状に組み立てられたものである。これらの補強部材１０Ｃ，１０Ｄは、図３に示した中間部材１０′を加工して得られる。
【００３４】
図８に示す第１補強部材１０Ｃは、前記中間部材１０′に切除加工とスリット加工とを施して得られた帯状のものであり、本体部１１の上下左右の側縁部に凸部１２…１２を有している。そして、上下の側部には、所定間隔を置いて交互に、寸法ｔ２の切除部１３…１３が設けられており、また、切除部１３…１３が設けられた箇所に一致して、寸法ｔ１のスリット１４…１４が設けられている。
【００３５】
一方、図９に示す第２補強部材１０Ｄは、同じく前記中間部材１０′に切除加工とスリット加工とを施して得られた帯状のものであり、本体部１１の上下左右の側縁部に凸部１２…１２を有している。そして、上下の側部には、前記所定間隔を置いて交互に、寸法ｔ２の切除部１３…１３が設けられており、また、切除部１３…１３が設けられた箇所に一致して、寸法ｔ１のスリット１４…１４が設けられている。この場合にも、なお、第２補強部材１０Ｄは、前記第１補強部材１０Ｄを上下逆にしたものであるが、便宜上異なる符合を付すことにしている。
【００３６】
そして、この場合にも、第１及び第２補強部材１０Ｃ，１０Ｄにそれぞれ切除部１３…１３を設けるようにしたので、図７に示すように、互いの凸部１２，１２同士は干渉せず、第１補強部材１０Ｃの切除部１３に第２補強部材１０Ｄの凸部１２が嵌まり込む一方、第２補強部材１０Ｄの切除部１３に第１補強部材１０Ｃの凸部１２が嵌まり込むようになる。そして、嵌合箇所における両補強部材１０Ｃ，１０Ｄの収まり状態がよくなる。なお、補強枠体２は、前記第１及び第２補強部材１０Ｃ，１０Ｄを千鳥状に編むように組み立てられているので、例えば第１補強部材１０Ｃの頭部は、平面視で長手方向に所定間隔で交互に露出したり第２補強部材１０Ｄで隠蔽されたりするようになる。
【００３７】
以上のように構成したことにより、第１及び第２補強部材１０Ｃ，１０Ｄの両側の側部に、交互に複数のスリット１４…１４が設けられているので、複数の第１及び第２補強部材１０Ｃ…１０Ｃ，１０Ｄ…１０Ｄを、前記スリット１４…１４を介して千鳥状に組み立てると、補強枠体２を構成する第１及び第２補強部材１０Ｃ…１０Ｃ，１０Ｄ…１０Ｄは互いにバラけることがなくなり、もって、第１及び第２補強部材１０Ｃ，１０Ｄの抜け、ひいては補強枠体２の抜けをさらに抑制することができる。
【００３８】
ここで、凸部の個数や形状の変形例について説明する。
【００３９】
例えば、上下左右の各側縁部に設けられる略半円状の凸部１２の個数は、目的に応じて任意に設定可能である。すなわち、図１０に示す補強部材１０Ｅのように、各側縁部に２つの略半円状の凸部１２，１２を設けて、アンカー効果の増強を図ってもよい。
【００４０】
また、凸部は、アンカー効果を発現する形状のものであればよい。すなわち、図１１に示す補強部材１０Ｆのように、各側縁部に断面視で矩形状の凸部１２Ｆを設けてもよい。この場合の凸部１０Ｆは、垂直面１２Ｆ′と段付き面１２Ｆ″とを有しており、特に後者は抜け抵抗となることから、前記凸部１２に比較してアンカー効果のさらなる増強を図ることができる。
【００４１】
また、図１２（ａ）に示す補強部材１０Ｇのように、凸部１２Ｇを、傾斜面１２Ｇ′と段付き面１２Ｇ″とで構成してもよい。このような構成によれば、補強部材１０Ｇの凸部１２Ｇは、端部側の傾斜面１２Ｇ′と中央側の段付き面１２Ｇ″とを有する断面視で三角形状とされているので、例えば、これらの補強部材１０Ｇでなる補強枠体を地面に差し込んで敷設する場合には、前記傾斜面１２Ｇ′は、案内面として差し込みを容易にする。一方、客土保持空間Ｓに客土したときに、前記段付き面１２Ｇ″は抜け抵抗となることから、補強部材１０Ｇや補強枠体の抜けを一層抑制するのに貢献する。
【００４２】
また、図１２（ｂ）に示す補強部材１０Ｈのように、傾斜面１２Ｈ′と段付き面１２Ｈ″とで構成される断面視で略三角形状の凸部１２Ｈを、必ずしも頭部から連続して設けず、中央側にずらせて設けてもよい。そして、図１２ｃ）に示す補強部材１０Ｉのように、断面視で三角形状の１つの凸部１２Ｉを、また、図１２（ｄ）に示す補強部材１０Ｊのように、断面視で三角形状の２つの凸部１２Ｊ，１２Ｊを、点対称となるように設けてもよい。
【００４３】
そして、図１３に示す補強部材１０Ｋのように、本体部１１Ｋの両端部を波形にすることにより凸部１２Ｋ，１２Ｋを形成してもよい。この形状は、側部側から釘状部材Ｘを斜めに打ち込むのに適している。その場合には、さらなるアンカー効果が付与されるようになる。
【００４４】
なお、本発明は、具体的に詳述した前記実施の形態に限定されることはなく、本発明の趣旨に沿うものであればよい。
【００４５】
例えば、前記実施の形態では、第１及び第２補強部材１０Ａ，１０Ｂ：１０Ｃ，１０Ｄの凸部１２，１２同士の干渉を回避するため、側部にスリット１４より長手方向の寸法の大きい切除部１３を設けたが、切除部１３の寸法ｔ２と同じ寸法のスリットを設けて、切除部とスリットとを統合してもよい。そして、干渉があっても補強枠体の形状維持に支障がなければ、切除部１３を設けなくてもよい。
【００４６】
また、前記実施の形態では、上下の両側縁部に凸部１２，１２を設けたが、上下一方の側縁部にのみ凸部１２を設けてもよい。
【００４７】
また、図１２に示した凸部１０Ｇ〜１０Ｊにおいては、凸部１２Ｇ〜１２Ｊの傾斜面１２Ｇ′，１２Ｈ′は平坦であったが、湾曲してもよい。
【００４８】
また、前記実施の形態では、平面視で正方形状の客土保持空間Ｓを形成したが、長方形状や平行四辺形状であってもよい。
【００４９】
そして、前記実施の形態では、補強枠体１を特に法面にそって敷設した場合について詳しく説明したが、例えば平地のグラスパーキングと称される芝生化駐車場にも好ましく適用可能である。すなわち、地面が補強され、さらに、車両の荷重が繰り返して負荷されても、補強効果が維持される。
【産業上の利用可能性】
【００５０】
以上説明したように、本発明によれば、枠体に組み立てて地面に敷設したときに、補強効果を安定して維持可能な地面補強部材及び地面補強枠体並びに法面補強方法が提供され、本発明は、地面補強工事の技術分野に広く好適である。
【図面の簡単な説明】
【００５１】
【図１】本発明の第１の実施の形態に係る地面補強枠体の一部を示す斜視図である。
【図２】地面補強枠体の一部を拡大して示す平面図である。
【図３】地面補強部材を得るための中間部材の一部を拡大して示す斜視図である。
【図４】第１補強部材の一部を示す斜視図である。
【図５】第２補強部材の一部を示す斜視図である。
【図６】地面補強枠体を法面に敷設した状態を示す図である。
【図７】本発明の第２の実施の形態に係る地面補強枠体の一部を拡大して示す図２に相当する平面図である。
【図８】第１補強部材の一部を示す斜視図である。
【図９】第２補強部材の一部を示す斜視図である。
【図１０】凸部の変形例を示す図である。
【図１１】同じく凸部の変形例を示す図である。
【図１２】同じく凸部の変形例を示す図である。
【図１３】同じく凸部の変形例を示す図である。
【符号の説明】
【００５２】
１，２    地面補強枠体
１０Ａ〜１０Ｋ          地面補強部材
１２，１２Ｆ〜１２Ｋ    凸部
１２Ｇ′，１２Ｈ′      傾斜面
１２Ｇ″，１２Ｈ″      段付き面
１４      スリット
Ｘ        釘状部材
Ｓ        客土保持空間
【図１】
2009041292.tif 000003
【図２】
2009041292.tif 000004
【図３】
2009041292.tif 000005
【図４】
2009041292.tif 000006
【図５】
2009041292.tif 000007
【図６】
2009041292.tif 000008
【図７】
2009041292.tif 000009
【図８】
2009041292.tif 000010
【図９】
2009041292.tif 000011
【図１０】
2009041292.tif 000012
【図１１】
2009041292.tif 000013
【図１２】
2009041292.tif 000014
【図１３】
2009041292.tif 000015
【手続補正書】
【提出日】平成19年8月27日(2007.8.27)
【手続補正１】
【補正対象書類名】明細書
【補正対象項目名】０００３
【補正方法】変更
【補正の内容】
【０００３】
【特許文献１】特開昭５８−６２２２１号公報